(57)【要約】【課題】  光源が定電流制御される場合でも光源出力の劣化を監視することのできる構成を提供する。【解決手段】  光送受信器は、光源と、前記光源の出力パワー状態を記録し管理する光源パワー管理部と、対向する光伝送装置から第１光信号を受信し検出する光検出器と、前記第１光信号から、前記光源の出力光から生成され前記対向する光伝送装置で受信された第２光信号の受信パワーレべルのモニタ情報を抽出するモニタ情報抽出部と、を有し、前記光源パワー管理部は、前記モニタ情報に基づき、前記受信パワーレベルのモニタ値が光伝送路の変動を超えて減少する場合に、前記光源の出力パワー状態の記録を更新する。【選択図】図２
2016096511.tif 000002
【特許請求の範囲】
【請求項１】
光源と、
前記光源の出力パワー状態を記録し管理する光源パワー管理部と、
対向する光伝送装置から第１光信号を受信し検出する光検出器と、
前記第１光信号から、前記光源の出力光から生成され前記対向する光伝送装置で受信された第２光信号の受信パワーレべルのモニタ情報を抽出するモニタ情報抽出部と、
を有し、
前記光源パワー管理部は、前記モニタ情報に基づき、前記受信パワーレベルのモニタ値が光伝送路の変動を超えて減少する場合に、前記光源の出力パワー状態の記録を更新することを特徴とする光送受信器。
【請求項２】
前記光源パワー管理部は、前記モニタ値の変化が、前記受信パワーレベルの短周期平均と長周期平均の最大差よりも大きい場合に、前記光源の出力劣化と判断して前記光源の出力パワー状態の記録を更新することを特徴とする請求項１に記載の光送受信器。
【請求項３】
前記光源パワー管理部は、前記モニタ値が一定時間内に所定値を超えて変化する場合は前記光伝送路の異常とみなして、前記光源の出力パワー状態の記録を更新しないことを特徴とする請求項１に記載の光送受信器。
【請求項４】
前記光源パワー管理部は、前記受信パワーレベルのモニタ値が増大する場合は、前記光伝送路の変動とみなして、前記光源の出力パワー状態の記録を更新しないことを特徴とする請求項１に記載の光送受信器。
【請求項５】
前記光源パワー管理部は、起動時または接続時の初期受信パワーレベルを記録し、前記モニタ値が前記初期出力パワーより大きい場合に、前記モニタ値を前記初期受信パワーレベルに置き換えることを特徴とする請求項１に記載の光送受信器。
【請求項６】
前記光検出器は、前記光送受信器と前記対向する光伝送装置との間で識別情報が交換され双方向のリンクが確定された後に前記第１光信号を受信し、
前記光源パワー管理部は、前記モニタ情報に含まれる一対の識別情報と、前記交換され前記光送受信器のメモリに記憶された一対の識別情報とを比較し、一致する場合に前記光源の出力パワー状態の記録を更新することを特徴とする請求項１に記載の光送受信器。
【請求項７】
前記光検出器は、前記光送受信器と前記対向する光伝送装置との間で識別情報が交換され双方向のリンクが確定された後に前記第１光信号を受信し、
前記光源パワー管理部は、前記モニタ情報に含まれる識別情報が前記光送受信器の識別情報のみである場合に、自己折り返しパスを検出し、前記第１の光信号の受信パワーレベルを測定して、前記光源の出力パワー状態の記録を補正することを特徴とする請求項１に記載の光送受信器。
【請求項８】
第１の光伝送装置と、
前記第１の光伝送装置と光伝送路により接続される第２の光伝送装置と、
を有し、
前記第２の光伝送装置は、前記第１の光伝送装置から送信された光信号の受信パワーレベルをモニタしてモニタ情報を前記第１の光伝送装置に通知し、
前記第１の光伝送装置は、前記受信パワーレベルのモニタ値が前記光伝送路の変動を超えて減少した場合に、前記モニタ情報に基づいて、前記第１の光伝送装置の光源の出力パワー状態の記録を更新することを特徴とする光伝送システム。
【請求項９】
第１の光伝送装置において、当該第１の光伝送装置の光源の出力パワー状態を管理し、
前記第１の光伝送装置にて、対向する第２の光伝送装置から送信される第１光信号を受信し、
前記第１光信号から、前記第１の光伝送装置から送信され前記第２の光伝送装置で受信された第２光信号の受信パワーレべルに関するモニタ情報を抽出し、
前記モニタ情報に基づき、前記受信パワーレベルのモニタ値が光伝送路の変動を超えて減少する場合に前記光源の出力パワー状態の記録を更新する、
ことを特徴とする光源出力監視方法。
【発明の詳細な説明】
【技術分野】
【０００１】
本発明は、光送受信器とこれを用いた光伝送システム、及び光源出力の監視方法に関する。
【背景技術】
【０００２】
近年、ＶＣＳＥＬ（Vertical Cavity Surface Emitting Laser：面発光レーザ）アレイが光通信システムで利用されている。ＶＣＳＥＬは、高性能を維持したまま価格を抑制することができるという特徴がある。しかし、安価なアルミニウムを材料に用いたＶＣＳＥＬでは、アルミニウムの酸化が問題となる。また、ＶＣＳＥＬは多層の積層構造を持つため結晶欠陥ができやすく、品質の管理が難しい。
【０００３】
ＶＣＳＥＬを光源に用いた場合、アルミニウムの酸化や結晶欠陥の成長等による出力低下が生じ得る。そのため、通常はＶＣＳＥＬの出力をモニタで監視し、ＶＣＳＥＬの出力が一定になるように駆動電流を制御するオートパワーコントロール（ＡＰＣ：Automatic Power Control）が行われる。しかし、ＡＰＣをかけると、出力の低下時に自動的に駆動電流を増大させて発光量の低下を補償するため、逆に「頓死」（デバイスの突然の劣化）を誘発しやすい。
【０００４】
通信容量が増大した現在、安価なＶＣＳＥＬをアレイ化してコンパクトに収容したプラガブル光モジュールが販売されている。たとえば、アレイ状に配置された１０個の光源を用いて１０Ｇｂｐｓずつ送信して１００Ｇｂｐｓの高速光信号を行うことができる。この場合、各ＶＣＳＥＬ光源の出力をそれぞれ対応する光モニタで監視することは実装上も困難なことから、光モニタが省略された構成となっている。すなわち、ＶＣＳＥＬアレイでは電流一定制御が行われ、ＡＰＣなしで動作させている。
【０００５】
なお、送信側から光伝送路を介して送られてきた光信号を受信し、受信側で光入力レベルの変化の割合に基づいて光伝送路の異常を検知する方法が知られている（たとえば、特許文献１参照）。
【先行技術文献】
【特許文献】
【０００６】
【特許文献１】特開２００７−１３４３４号公報
【発明の概要】
【発明が解決しようとする課題】
【０００７】
今後、光源アレイ数がさらに増大すると、すべてのフォトダイオードの出力をモニタする構成をプラガブル光モジュールの内部に配置することは、いっそう困難になる。実装上の制約を排除したとしても、すべてのチャネルをモニタするコストは無視できない。これらの理由から、今後、ＶＣＳＥＬアレイでは光モニタを省いて定電流制御を行うことが主流になると考えられるが、光モニタを省略すると出力レベルの劣化をリアルタイムで知ることができない。光源の定電流制御を行うことで「頓死」の速度は緩やかになるが、デバイスが劣化しないわけではない。したがって、何らかの監視手段により光源の異常を検出して、予防的に光源を交換する等の保守運用を行う必要がある。
【０００８】
そこで、光源に対して定電流制御が行われている場合に光源出力の劣化を監視することのできる構成と手法を提供することを課題とする。
【課題を解決するための手段】
【０００９】
ひとつの態様では、光送受信器は、
光源と、
前記光源の出力パワー状態を記録し管理する光源パワー管理部と、
対向する光伝送装置から第１光信号を受信し検出する光検出器と、
前記第１光信号から、前記光源の出力光から生成され前記対向する光伝送装置で受信された第２光信号の受信パワーレべルのモニタ情報を抽出するモニタ情報抽出部と、
を有し、
前記光源パワー管理部は、前記モニタ情報に基づき、前記受信パワーレベルのモニタ値が光伝送路の変動を超えて減少する場合に、前記光源の出力パワー状態の記録を更新することを特徴とする。
【発明の効果】
【００１０】
光源に対して定電流制御が行われる場合に、光源出力の劣化を監視することができる。
【図面の簡単な説明】
【００１１】
【図１】実施形態の光送受信器とこれを用いた光伝送システムの概略図である。
【図２】光送受信器の一形態としてのプラガブル光モジュールの構成図である。
【図３】受信パワーモニタ値に基づく光源劣化監視の一例を示す図である。
【図４】モニタ情報の交換に先立つリンク確立手続きを示す図である。
【図５】実施形態の光源出力監視方法のフローチャートである。
【図６】光源出力パワーの劣化量更新の構成例１である。
【図７】プラガブルな光送受信器の着脱繰り返しによる誤判断防止を説明する図である。
【図８】モニタ結果のメモリへの書き込みの例を示す図である。
【図９】伝送路が切られた場合の誤動作防止の例を示す図である。
【図１０】未接続時の光源劣化監視の例を示す図である。
【図１１】伝送路の損失が変動する場合の誤動作防止の例を示す図である。
【図１２】光源出力パワーの劣化量更新の構成例２である。
【図１３】受信パワーモニタ値の更新タイミングの一例を示す図である。
【図１４】光源出力パワーの劣化量更新の構成例３である。
【図１５】光源出力パワーの劣化量更新の構成例４である。
【図１６】光源出力パワーの劣化量更新の構成例５である。
【図１７】光源出力パワーの劣化量更新の構成例６である。
【図１８】メモリに書き込まれた劣化量の補正機能を説明する図である。
【図１９】自己折り返し時の劣化量補正を説明する図である。
【図２０】発光時間の計数の例を示す図である。
【発明を実施するための形態】
【００１２】
図１は、実施形態の光送受信器１０と、これを用いた光伝送システム１００の概略図である。図１の例では、光送受信器１０は、送信器と受信器が一体となったプラガブル光モジュールである。光伝送装置１Ａに光送受信器１０Ａが着脱可能に装着され、光伝送装置１Ｂに光送受信器１０Ｂが着脱可能に装着されている。光伝送装置１Ａと光伝送装置１Ｂは光伝送路５によって互いに接続されている。光伝送路５は、たとえば双方向一体のＭＰＯ（Multifiber Push-On）ケーブル等の光伝送ケーブルである。
【００１３】
光伝送システム１００では、互いに対向する光伝送装置１Ａ、１Ｂから光信号を受信する際にその受信パワーをモニタし、モニタ結果を送信側へ通知する。送信側は、通知されたモニタ結果に基づいて自装置の光源の出力パワーの劣化状態を記録し管理する。受信パワー測定用の特別の信号を用いなくても、データ信号の送受信の際にその受信パワーをモニタし、送信側へ通知することによって、送信側では自装置の光源出力の変化を検知することができる。
【００１４】
より具体的には、光送受信器１０Ａは、光伝送装置１Ｂから送信されてくる光信号の受信時に、その受信強度をモニタして（手順(1a)）、モニタ結果を光伝送装置１Ｂの光送受信器１０Ｂに通知する（手順(2a)）。光送受信器１０Ｂは、光伝送装置１Ａから送信されてくる光信号の受信時にその強度をモニタして（手順(1b)）、モニタ結果を光伝送装置１Ａの光送受信器１０Ａに通知する（手順(2b)）。受信側で、モニタ結果に基づいて対向装置の光源劣化の程度を判断して判断結果を送信側に通知してもよいし、受信側からモニタ結果のみを送信側に通知し、送信側で自装置の光源出力の劣化判断を行ってもよい。いずれの構成をとる場合も、光送受信器１０は、受信側から通知される情報に基づいて、自装置の光源出力の劣化状態を記録し、管理する。
【００１５】
図２は、光送受信器１０の概略構成図である。説明の便宜上、光送受信器１０は光伝送装置１Ａに装着され、光伝送装置１Ｂと光信号の送受信を行うものとする。光送受信器１０は、たとえば波長多重（Wavelength Division Multiplexing：ＷＤＭ）方式の光通信に用いられ、波長に応じた処理基板１５−１〜１５−ｋ（適宜、「処理基板１５」と総称する）と、処理基板１５−１〜１５−ｋに搭載されたレーザ光源３３の出力パワーレベルを一括して管理する光源パワー管理部１７を有する。光源パワー管理部１７は、マイクロコントローラ１３と、書換え可能なメモリ（たとえばＥＥＰＲＯＭ（Electrically Erasable Programmable Read-Only Memory））１４を含む。
【００１６】
光送受信器１０の受信系列で、光伝送路５から受信されたＷＤＭ信号は分波器１１で各波長の光信号に分離され、対応する処理基板１５に入力される。各波長の受信光はフォトダイオード（ＰＤ）２１で検出され、前置増幅器２３で増幅される。受信された信号にはデータ信号、クロック信号、パイロット信号等が含まれている。
【００１７】
増幅された信号のうち、データ信号はフィルタ２４を通過して必要な帯域あるいは周波数成分が取り出され、後置増幅器２７で増幅されて信号検出器２８に入力される。クロック信号はタイミング抽出部２５で抽出されて信号検出器２８に入力される。信号検出器２８は、クロック信号に基づいてデータを検出し、検出したデータを、光伝送装置１Ａ内に設けられたフレーマー２−１〜２−ｋの対応するフレーマーに出力する。フレーマー２−１〜２−ｋは、ＯＴＮ（Optical Transport Network）等の標準規格のフレームから各クライアント信号を取り出して出力する。
【００１８】
受信信号に含まれていたモニタ情報はモニタ情報抽出部２６で抽出され、マイクロコントローラ１３に入力される。モニタ情報は、光伝送装置１Ａから送信され、光伝送装置１Ｂで受信された光信号の受信パワーモニタ値と、送信側の光伝送装置１Ｂの識別情報とが含まれている。受信パワーモニタ値は、測定された受信パワーレベルでもよいし、前回通知したモニタ値との差分でもよいし、光伝送装置１Ａの出荷時の初期出力パワーレベルからの劣化量であってもよい。モニタ情報に、信号疎通に先立って交換された光伝送装置１Ａ自体の識別情報が含まれていてもよい。モニタ情報は、パイロット信号として主信号に重畳されていてもよいし、信号フレームのオーバーヘッド領域等の空きバイトを利用して通知されてもよい。
【００１９】
光伝送装置１Ａの受信信号の一部は分岐され、受信パワーモニタ部２９で受信パワーレベルがモニタされる。フォトダイオード２１のバイアスを制御するバイアスコントローラ２２の出力も受信パワーモニタ部２９に入力される。受信パワーモニタ部２９は図示しないアナログ／デジタルコンバータを含み、モニタ結果はマイクロコントローラ１３に入力される。マイクロコントローラ１３は、相手側装置（光伝送装置１Ｂ）から受信したパイロット信号あるいはフレームオーバーヘッドに含まれるモニタ情報に基づいて、自装置（光伝送装置１Ａ）のレーザ光源３３の出力パワーの劣化状態をＥＥＰＲＯＭ１４に記録する。
【００２０】
光送受信器１０の送信系列では、光伝送装置１Ａのフレーマー２−１〜２−ｋによって所定のフレーム形式に変換された各クライアント信号が、波長ごとに処理基板１５−１〜１５−ｋに供給される。クライアント信号（データ信号）はドライバ３２に入力され、レーザ光源３３を駆動する。レーザ光源３３は、定電流制御回路３４により、レーザに注入される電流が変化しないように定電流制御され、ＡＰＣのようなフィードバック制御は行われていない。
【００２１】
モニタ情報生成部３１は、クライアント信号の送信時に、光伝送装置１Ｂからの光信号の受信パワーレベルに基づいてモニタ情報を生成する。モニタ情報は、パイロット信号を生成して主信号に重畳してもよいし、パイロット信号を用いるかわりに、信号フレームのオーバーヘッド領域等の空きバイトを利用してもよい。後者の場合、受信パワーのモニタ情報はマイクロコントローラ１３によってフレーマー２に送られ、フレーマー２−１〜２−ｋのフレーム終端処理機能を経由して提供される。また、対向側のモニタ情報もフレーマー２−１〜２−ｋからマイクロコントローラ１３に提供される。
【００２２】
光送受信器１０において、レーザ光源３３の出力劣化量の累積値が閾値を超えた場合にアラームを発する構成としてもよい。これによって、オートパワーコントロール機構を設けなくても、レーザ光源３３の寿命をできるだけ長く維持しつつ、劣化の状態に応じて光源を交換するなどの保守、管理を行うことができる。
【００２３】
図３は、受信パワーモニタ情報に基づく光源劣化監視の一例を示す。ここでは、光伝送装置１Ａに装着された光送受信器１０Ａが、光伝送装置１Ｂから受け取る受信パワーモニタ情報に基づいて自装置のレーザ光源３３の劣化監視を行うものとする。光伝送装置１Ａと光伝送装置１Ｂとの間で光接続が外されたり、対向する光伝送装置１Ｂの光送受信器１０が交換されることが想定される。たとえば、時間ｔ１で光伝送装置１Ａと光伝送装置１Ｂとの間の接続により信号疎通が確認されると、光送受信器１０Ａは光伝送装置１Ｂから受信した受信パワーモニタ値を有効としてＥＥＰＲＯＭ１４に接続直後の初期パワーレベルを記録する。その後、時間ｔ２で接続が外された時点で、光伝送装置１Ｂから送られてくる受信パワーモニタ値、すなわち光伝送装置１Ａの光源出力レベルは、初期パワーレベルからＤ１だけ低くなっている。
【００２４】
その後、時間ｔ３で再接続が行われる。このとき、光伝送路５の伝送損失がｔ２の時点と比較して変化している可能性があり、ｔ３で受け取る受信パワーモニタ値がｔ１での初期パワーレベルよりも大きくなる場合がある。光伝送装置１Ａの光送受信器１０は、ｔ３での受信パワーモニタ値からの劣化量Ｄ２を順次ＥＥＰＲＯＭ１４に記録する。ｔ３以降は伝送損失が変化していないと仮定すると、累積された劣化量Ｄ１＋Ｄ２が所定値Ｄthを超えた時点ｔ４で（Ｄ１＋Ｄ２＞Ｄth）、アラームを発生する。
【００２５】
マイクロコントローラ１３は、相手側の光伝送装置１Ｂから受け取った受信パワーモニタ値を順次ＥＥＰＲＯＭ１４に記録するとともに、受信パワーモニタ値の累積劣化量、すなわち光伝送装置１Ａのレーザ光源３３の出力パワーの累積劣化量を計算し、記録する。
【００２６】
この構成により、時間ｔ４での受信パワーモニタ値が時間ｔ１での初期パワーレベルより大きい場合に、マイクロコントローラ１３がレーザ光源３３の劣化が生じていないと誤判断することを防止できる。
【００２７】
図４は、モニタ情報の交換に先立つリンク確立手続きを示す図である。光送受信器１０は、受信したモニタ情報に基づいて自装置のレーザ光源３３の出力パワーレベルが初期状態からどの程度低下したかをＥＥＰＲＯＭ１４に記録していくが、ケーブルの誤接続によって誤った情報（たとえば別の装置のための受信パワーモニタ値）を書き込む可能性がある。これを回避するために、相手側の光伝送装置と確実に双方向で接続されていることを確認し、リンクを確定させてから、相互の受信パワーモニタを開始する。識別情報は、トレースバイトを利用して送信してもよいし、パイロット信号に含めて送信してもよい。
【００２８】
たとえば、図４（Ａ）に示すように、光伝送装置１Ａの光送受信器１０Ａと、光伝送装置１Ｂの光送受信器１０Ｂは、あらかじめ互いの機器ＩＤを交換し、モニタ情報を送信する際にモニタ情報に相手側装置の識別情報と自装置の識別情報を含めて通知する。モニタ情報を受信した装置は、自装置に格納された識別番号と比較して、誤接続がないかを確認する。
【００２９】
図４（Ｂ）の接続シーケンスで、光伝送装置１Ａと光伝送装置１Ｂは、リンク確立に先立って、低出力パワーで光信号を互いに送信する（Ｓ１１）。相手側装置からの低出力の光信号を受信すると同期損失（Loss of Loss:ＬＯＬ）を解除して（Ｓ１２）、低速パイロット変調で光信号の受信を通知する（Ｓ１３）。相手側装置からの低速パルス信号（パイロット信号）を受信することで、下流接続を確認し（Ｓ１４）、送信出力パワーを上昇して（Ｓ１５）、自装置の識別情報を送信する（Ｓ１６）。一例として、光伝送装置１Ａの光送受信器１０Ａは、自己の製造番号（XXXX-Chn）を送信し、相手側の光伝送装置１Ｂから光送受信器１０Ｂの製造番号（YYYY-Chn））を受信する（Ｓ１７）。光伝送装置１Ａと光伝送装置１Ｂの間でリンクが確定すると（Ｓ１９）、光信号の送受信と、受信パワーレベルの測定及びモニタ情報の通知が実施される。モニタ情報を通知する際に、図４（Ａ）に示すように自装置の識別情報と相手側装置の識別情報をモニタ情報に含めるのが望ましい。
【００３０】
このように、リンク確立に先立って接続相手を確認し、光リンクが確立されてから受信パワーのモニタ情報を相手側装置の識別情報とともに送信側に通知する。
【００３１】
図５は、実施形態の光源出力監視方法のフローチャートである。光伝送装置１Ａの正常起動が完了すると（Ｓ２１）、光送受信器１０Ａの受信系列で同期外れ（ＬＯＬ）アラームを解除する（Ｓ２２）。光源に対して多段階の出力レベル制御がある場合は、正常起動完了の時点で、低パワー出力を維持する。ＬＯＬアラーム解除により、相手側の光伝送装置１Ｂから低速パルスのパイロット信号と識別情報を受信する。これによって信号疎通を確認し、出力レベルを上昇する（Ｓ２３）。自装置の光送受信器１０Ａの識別情報と、Ｓ２３で受信した相手側の光伝送装置１Ｂの識別情報を送信する（Ｓ２４）。光伝送装置１Ｂから、光送受信器１０Ｂの識別情報と自装置１Ａが送った識別情報とを受信し、光伝送装置１Ａが送信した識別情報と比較することで、リンク確立を判断する（Ｓ２５）。Ｓ２４で受信した送信側識別情報が自装置（光伝送装置１Ａ）が送信したの識別情報と同じである場合、相手側装置との接続がされておらず、自己折り返しモードとなる（Ｓ２６）。この場合は、後述するように、光送受信器１０Ａの受信系列のフォトダイオード２１と受信パワーモニタ部２９で自装置のレーザ光源３３の出力パワーを測定できるので、ＥＥＰＲＯＭ１４に記録された出力パワーの劣化量を校正することができる。Ｓ２５でリンクが確立されると相手側の光伝送装置１Ｂから送信された光信号の受信パワーレベルの測定を開始する（Ｓ２７）。
【００３２】
受信パワーレベルの劣化量は更新されて、送信側のＥＥＰＲＯＭ１４に書き込まれる。光通信の実施による光源出力の低下と、伝送路ケーブルが外されたこと等による伝送路損失の増大による受信パワー低下とを区別するために、リンク確立がなされている状態に限って、劣化量を更新するのが望ましい。
【００３３】
送信側の光送受信器１０Ｂで光源出力パワーの劣化を判断する場合は、受信側の光送受信器１０Ａは、受信パワーのモニタ値を常時、あるいは一定間隔で光伝送装置１Ｂに通知する。受信側の光送受信器１０Ａで相手側の光伝送装置１Ｂの光源出力パワーの劣化を判断する場合は、たとえば測定した受信パワーレベルに平均化処理を施し、一定量を超える受信パワーの低下が一定時間継続した時点で、光源出力パワーの劣化ありと判断して相手側の光伝送装置１Ａに通知する構成としてもよい。
【００３４】
図６は、光送受信器１０の光源パワー管理部１７Ａの劣化量更新の構成例１を示す。光源パワー管理部１７Ａを構成するマイクロコントローラ１３は、短周期平均化処理部４１と、長周期平均化処理部４２と、起動時受信レベル取得部４３と、変動差算出部４４と、比較部４５を有する。短周期平均化処理部４１は、モニタ情報抽出部２６から受け取るモニタ値（送信側で判断する場合）、または受信パワーモニタ部２９から受け取るモニタ値（受信側で判断する場合）を短い周期で平均化して短周期平均（Ｕ）を求める。長周期平均化処理部４２は、短周期平均（Ｕ）を一定時間にわたって平均化して長周期平均（Ｍ）を求める。受信パワーの短周期の変動はたとえば偏波変動に起因するものであり、長周期の変動はたとえば季節性変動を含む。
【００３５】
変動差算出部４４は、一定時間内で短周期平均（Ｕ）と長周期平均（Ｍ）の差分の絶対値が最大となる値を変動差Ｘとして算出する。起動時受信レベル取得部４３は、ＥＥＰＲＯＭ１４から起動時の受信パワーレベルＳ0を取得する。
【００３６】
比較部４５は、起動時の受信パワーレベルＳ0と、受信パワーモニタ値の長周期平均（Ｍ）との差が変動差Ｘよりも大きくなった場合に（Ｓ0−Ｍ＞Ｘ）、ＥＥＰＲＯＭ１４に新たな劣化量を書き込む。この構成は、たとえば、プラガブルの光送受信器１０の着脱が繰り返されるときに、伝送路の変動が出力パワーレベルの劣化と誤判断されることを防止するのに有効である。
【００３７】
図７は、光送受信器１０の着脱が繰り返されるときの誤判断防止を説明する図である。時間ｔkで再接続が行われ、時間ｔk+1で接続が外されたときの劣化量Ｄ３は、伝送路の変動幅Ｘより小さい。この場合の受信パワーモニタ値の劣化は、光源自体の劣化というよりは、むしろ伝送路の変動の影響が大きい。この場合に劣化量Ｄ３を累積劣化量に加算すると、記録される光源出力の劣化量が実際の光源出力の劣化よりも大きくなってしまう。そこで、起動時の受信パワーレベルＳ0からの長周期平均受信パワーの低下が、変動幅Ｘ（たとえば０．３ｄＢ〜１ｄＢ）よりも大きい場合に劣化量に加算し、劣化量が変動幅の範囲内にある場合は加算しないことで誤判断を防止する。
【００３８】
なお、受信パワーをモニタする側の光送受信器１０は、モニタ結果を送信側に通知して送信側でＥＥＰＲＯＭ１４に劣化量が書き込まれた時点で、モニタしている受信パワーの劣化量をゼロにリセットしてもよい。
【００３９】
図８は、ＥＥＰＲＯＭ１４への書き込みの例を示す。ＥＥＰＲＯＭ１４への書き込み中に電源が断になるとデータが壊れるため、ＥＥＰＲＯＭ１４の書き込み領域を複数用意し（アドレス領域Ａ０、Ａ１，Ｂ０，Ｂ１，Ｃ０，Ｃ１等）、光源の出力パワーの劣化量を更新するごとに、アドレスを巡回切り替えして書き込む。同じ時点での書き込み値を複数のアドレス（Ａ０、Ｂ０、Ｃ０）に書き込み、次の時点での書き込み値を、別の複数のアドレス（Ａ１，Ｂ１，Ｃ１）に書き込む。書き込み用の複数のアドレス間で書き込まれた値がすべて一致していないときは、前回のタイミングで書き込まれた情報を利用する。この構成により、書き込み中に電源が切断された場合でも光源出力のパワー状態の記録を維持することができる。
【００４０】
図９は、伝送路が切られた場合の誤動作防止の例を示す図である。たとえば、光ファイバの破断等により伝送路が切断される場合、破断途中は伝送路損失が徐々に増大し、完全に切断された時点ｔｂで突然に無限大になる（図９（Ａ））。受信パワーモニタ値は破断途中で徐々に減少し、完全に破断された時点ｔｂで急激にゼロに落ちる（図９（Ｂ））。プラガブルの光送受信器１０をゆっくりと抜く場合も、図９（Ａ）や図９（Ｂ）と同じ現象が生じる。
【００４１】
そこで、一定時間内に所定レベル（たとえば３〜５ｄＢ）を超えて受信パワーが劣化する場合は、光源の劣化とみなさず、累積劣化量に加算しない。具体的には、伝送路が切断されると、全チャネルで同期外れ（ＬＯＫ）になるので、図９（Ｃ）のように、所定時間当たりの受信パワーの劣化量が閾値を超えた時点ｔａでＬＯＬアラームをオンにして、累積劣化量への加算を防止する。特にＭＰＯケーブルの場合、アレイ化された光のすべてが断になるので、受信パワーの急激な低下を無視して誤判断を防止する。ＶＣＳＥＬアレイは複数の光源の集合であり伝送路ゲーブルは同一なので、伝送路の劣化なのか光源の劣化なのかの区別をアレイ全体で行うことができる。
【００４２】
図１０は、未接続時の光源劣化監視の例を示す図である。光送受信器１０が抜かれた場合に光源をオフにすると、次に起動が完了するまで接続を確認することができず、受信パーの測定タイミングも遅延する。そこで、未接続の状態（時間ｔｉ〜ｔｊ）ではレーザ光源３３のパワーを低出力に維持し、接続が回復した時点で所定の電流を流す構成とする。未接続時の光源パワーを低出力に維持することで、電流による劣化を抑制しつつ、接続時に受信パワーの劣化を迅速に検出することができる。
【００４３】
図１１は、伝送路の損失が変動する場合の誤動作防止の別の例を示す図である。図１１のように接続と切断が繰り返される場合、伝送路の状態によっては、受信パワーモニタ値が接続の直後よりも大きくなる場合があり得る。たとえば、時間ｔ５で再接続した後に伝送路の状態が良くなり損失が低減したとき、受信パワーモニタ値が時間ｔ５でのモニタ値よりも大きくなる。受信パワーが高くなった場合、劣化量あるいは前回通知したモニタ値からの差分はマイナスで表される。たとえば、光信号を受信した光送受信器１０Ａは、２進数のマイナス値を表現するために、２の補数を用いて受信パワーモニタ値を送信側の光送受信器１０Ｂに通知する。光送受信器１０Ｂは、マイナスのモニタ値を受け取ると、それまでに加算した累積劣化量から差し引いてもよい。この方法は、長周期変動が比較的短い場合に有効である。あるいは、後述するように所定値以下のマイナス値を受け取った場合（受信パワーが一定幅以上に増大した場合）は、光源出力の劣化ではなく伝送路変動の影響であるとみなして、劣化量を更新しない構成としてもよい。
【００４４】
受信側の光送受信器１０Ａは、マイナスの受信パワーレベルを測定した時点で、接続時の初期受信パワーレベルを現在のモニタ値に更新してもよい。あるいは接続時の受信パワーレベルとマイナス検出されたモニタ値（受信パワーレベルが増大したときの値）を平均化してもよい。
【００４５】
図１２は、光送受信器１０の光源パワー管理部１７Ｂの劣化量更新の構成例２である。図６の構成例１と同じ構成要素には同じ符号を付して重複する説明を省略する。構成例２は、構成例１と同様に伝送路損失の変動を考慮するものであるが、図６の構成に加えて、現在の受信パワーモニタ値Ｓが起動時の受信パワーレベルＳ0より大きくなった場合（Ｓ＞Ｓ0）や、長周期の平均受信パワーＭ（適宜、「長周期平均Ｍ」と略称する）が現在の受信パワーモニタＳよりも大きくなった場合(Ｍ＞Ｓ)に、伝送路損失によるパワー劣化であると判断して、劣化量を更新しない。
【００４６】
光源パワー管理部１７Ｂは、短周期平均化処理部４１と、長周期平均化処理部４２と、起動時受信レベル取得部４３と、変動差算出部４４と、比較部４５と、劣化量算出部４６と、更新判定部４７と、ＯＲゲート４８と、受信レベル更新部４９と、ＥＥＰＲＯＭ１４を有する。短周期平均化処理部４１、長周期平均化処理部４２、変動差算出部４４の動作は、図６と同様である。起動時受信レベル取得部４３は、ＥＥＰＲＯＭ１４等のメモリから起動時の受信パワーレベルＳ0を取得し、現在の受信パワーレベルＳの方が初期受信パワーレベルＳ0よりも大きい場合は（Ｓ＞Ｓ0）、Ｓ0＝Ｓに設定する。受信レベル更新部４９は、ＯＲゲート４８の出力に応じて、前回の期待値である受信パワーレベルＳを現在の受信パワーレベルに更新する。
【００４７】
比較部４５は、現在の受信パワーレベルＳと長周期の平均受信パワーＭの差分（Ｓ−Ｍ）を変動差Ｘと比較し、Ｓ−Ｍ＞Ｘの場合に劣化ありとしてＯＲゲート４８に「Ｈｉｇｈ」を出力する。更新判定部４７は、長周期の平均受信パワーＭの方が現在の受信パワーレベルＳよりも大きい場合に（Ｍ＞Ｓ）、Ｓ＝Ｍに更新してＯＲゲート４８に「Ｈｉｇｈ」を出力する。
【００４８】
現在の受信パワーレベルＳが長周期平均Ｍよりも大きく（Ｓ＞Ｍ）、かつその差が変動差Ｘより大きい場合は、比較部４５の出力が「Ｈｉｇｈ」、更新判定部４７の出力は「Ｌｏｗ」なので、ＯＲゲート４８の出力は「Ｈｉｇｈ」となり、受信レベル更新部４９は、Ｓ−Ｍ＞Ｘを満たす受信パワーレベルを現在のＳ値として更新する。
【００４９】
現在の受信パワーレベルＳの方が長周期平均Ｍよりも小さい場合は（Ｍ＞Ｓ）、比較部４５の出力が「Ｌｏｗ」、更新判定部４７の出力が「Ｈｉｇｈ」なので、ＯＲゲート４８の出力は「Ｈｉｇｈ」となり、受信レベル更新部４９は前回の期待値ＳをＳ＝Ｍに更新する。
【００５０】
現在の受信パワーレベルＳが長周期平均Ｍよりも大きくても（Ｓ＞Ｍ）、その差が変動差Ｘ以下の場合は比較部４５の出力と更新判定部４７の出力の双方が「Ｌｏｗ」になり、受信レベル更新部４９はＳ値の更新を行わない。
【００５１】
劣化量算出部４６は、受信レベル更新部４９でＳ値が更新されるタイミングで、起動時の受信パワーレベルＳ0から現在の受信パワーレベルＳを引き算した値（Ｓ0-Ｓ）を劣化量として算出し、ＥＥＰＲＯＭ１４に書き込む。Ｓ＞Ｓ0の場合はＳ0＝Ｓに設定されているので、劣化量がゼロとなり、ＥＥＰＲＯＭ１４は更新されない。
【００５２】
この構成により、伝送路変動の影響により受信パワーレベルが初期パワーレベルよりも大きくなった場合に誤って劣化量が更新されることを防止できる。
【００５３】
図１３は、図１２の構成における受信パワーモニタ値の更新タイミングの一例を示す図である。図中、曲線Ｐが実際の受信パワーレベルの変動である。実線の直線は長周期の平均値Ｍ、破線が短周期の平均値Ｕである。破線と実線の間の距離が最大変動差Ｘである。前回の更新により現在の受信パワーレベルＳがＳ＝Ｍに更新されたとする。その後、前回の更新から最大変動差Ｘを超えて長周期平均Ｍが低下した場合に新しいＳ値に更新する。
【００５４】
図１４は、光送受信器１０の光源パワー管理部１７Ｃの劣化量更新の構成例３である。図６の構成例１、及び図１２の構成例２と同じ構成要素には同じ符号を付して重複する説明を省略する。構成例３では、長周期変動の周期が長くなる場合に、それ以降の変動を短周期変動の結果のみを利用して推定する。この場合、たとえば最小二乗法を利用する。
【００５５】
光源パワー管理部１７Ｃは、短周期平均化処理部４１と、起動時受信レベル取得部４３と、劣化量算出部４６と、更新判定部４７と、ＯＲゲート４８と、受信レベル更新部４９と、メモリ５１と、回帰直線係数計算処理部５２と、比較判定部５３と、ＥＥＰＲＯＭ１４を有する。なお図示はしないが、図１２のように長周期平均化処理部４２、変動差算出部４４を備えていてもよい。
【００５６】
短周期平均化処理部４１は、一定時間ごとに短周期平均Ｕ(t)をメモリ５１に記録する。回帰直線係数計算処理部５２は、時間ｔ＝ｎからｔ＝ｎ＋ｋまでの間の短周期平均Ｕ(n)〜Ｕ(n+k)に基づき、回帰直線Ｕ(t)＝Ａn×ｔ＋Ｂnの係数Ａ，Ｂを算出する。比較判定部５３は、現在の受信パワーレベルＳと短周期平均Ｕ(t)を比較し、Ｓ＞Ｕ(t)の場合に「Ｈｉｇｈ」を出力する。必要に応じて、回帰直線の第１項の係数値Ａが負であることを条件に加えてもよい。これは、直線の傾きがマイナス、すなわち受信パワーレベルが低減する方向に変化することを意味する。
【００５７】
更新判定部４７は、現在の受信パワーレベルＳが短周期平均Ｕ(t)よりも小さい場合（Ｓ＜Ｕ(t)）、Ｓ＝Ｕ(t)に設定する。受信レベル更新部４９は、ＯＲゲート４８の出力に応じて、Ｓ＞Ｕ(t)のときは前回の期待値（Ｓ値）を現在のＳ値に更新し、Ｓ＜Ｕ(t)のときはＳ値をＵ(t)に更新する。劣化量算出部４６は、受信レベル更新部４９の更新のタイミングで、起動時の受信パワーレベルＳ0と現在のＳ値の差分を劣化量として算出し、ＥＥＰＲＯＭ１４に書き込む。
【００５８】
図１５は、光送受信器１０の光源パワー管理部１７Ｄの劣化量更新の構成例４である。構成例１、構成例２、構成例３と同じ構成要素には同じ符号を付して重複する説明を省略する。構成例４では、過去のデータを参考に減少傾向が同じか否かで劣化量の更新を判定する。
【００５９】
光源パワー管理部１７Ｄは、短周期平均化処理部４１と、起動時受信レベル取得部４３と、劣化量算出部４６と、更新判定部４７と、ＯＲゲート４８と、受信レベル更新部４９と、比較判定部６１と、ＥＥＰＲＯＭ１４を有する。比較判定部６１は、メモリ５１から過去の一定期間の短周期平均Ｕ(t)を読み出して、現在の受信パワーレベルＳが短周期平均Ｕ(t)よりも大きいか否か、短周期平均Ｕ(t)の過去の傾向が減少方向にあるか、を判断する。比較判定部６１は、Ｓ＞Ｕ(t)であり、かつＵ(t)の変化の傾向が減少方向にある場合に、ＯＲゲート４８に「Ｈｉｇｈ」を出力する。
【００６０】
更新判定部４７は、Ｕ(t)＜Ｓのときに現在の受信パワーレベルＳをＵ(t)に更新して、ＯＲゲートに「Ｈｉｇｈ」を出力する。減算受信レベル更新部４９は、ＯＲゲート４８の出力に応じて、前回のＳ値を現在の受信パワーレベルに更新する。劣化量算出部４６は、Ｓ値更新のタイミングで、起動時の受信パワーレベルＳ0と現在の受信パワーレベルＳの差分を劣化量として算出しＥＥＰＲＯＭ１４に書き込む。
【００６１】
図１６は、光送受信器１０の光源パワー管理部１７Ｅの劣化量更新の構成例５である。構成例５は、構成例１〜４にピークホールド回路７１を追加したものである。モニタ値を単純に平均化する替わりに、一定時間ごとの最大値を取り込み、取り込んだ最大値に対して平均化処理することで、誤動作をさらに低減することができる。
【００６２】
短周期パルス発生器７２のパルス出力の立ち上がり、又は立下りのタイミングで、ピークホールド回路７１がリセットされると同時に、レジスタ７３に受信パワーレベルＳの最大値が取り込まれる。レジスタ７３はその上限値を構成例１〜４への入力値として出力する。この構成により、短周期の伝送路変動による受信パワーレベルの低下を光源劣化として取り込む誤動作を最小にできる。
【００６３】
図１７は、光送受信器１０の光源パワー管理部１７Ｆの劣化量更新の構成例６である。構成例６は、ＶＣＳＥＬアレイをレーザ光源３３として用いた多チャネル（多波長）伝送の場合に、各チャネルのモニタ値から長周期変動を除去して用いる。
【００６４】
チャネルごとに入力される受信パワーレベルのモニタ値は、対応するレジスタ８１−１〜８１−ｎに保持される。差分算出回路８２−１〜８２−ｎは、今回の入力モニタ値とレジスタ８１−１〜８１−ｎに保持されるモニタ値との差分Δ１〜Δｎを平均化処理部８３に出力する。平均化処理部８３は、各チャネルに対して、他チャネルの変動平均を算出する。たとえば、チャネル１に対してはチャネル２〜ｎの変動平均Ｌ１を算出し、チャネル２に対しては、チャネル１、３〜ｎの変動平均Ｌ２を算出し、算出結果を対応する減算器８４−１〜８４−ｎに出力する。他の全てのチャネルの変動平均Ｌは、着目するチャネルの伝送路の変動とみなすことができる。
【００６５】
減算器８４−１〜８４−ｎは、入力されたチャネルのモニタ値から他チャネルの変動平均Ｌを減算し、減算結果を１７Ａ〜１７Ｅの短周期平均化処理部４１に入力する。これにより、あらかじめ長周期の変動が除去された状態でモニタ値を用いることができる。シングルモードの多チャネル伝送の場合、同一のモードで信号が伝搬するので、伝送路の変動の影響も類似し、伝送路の変動と光源の劣化を同じように区別することができる。多芯ファイバを用いる場合でも、伝送損失の周期性はどの芯も同じ傾向にあるので同じことが当てはまる。
【００６６】
図１８は、ＥＥＰＲＯＭ１４に書き込まれる劣化量の補正機能を説明する図である。光送受信器１０のＣＰＵ１３は、対向する光送受信器から受信パワーレベルのモニタ値を受信すると、ＥＥＰＲＯＭ１３から出荷時のパワーレベルを読み出し、差分である劣化量がプラスの場合（受信したモニタ値の方が小さいとき）に劣化量をＥＥＰＲＯＭ１３に上書きする。差分の劣化量がマイナスの場合、すなわちモニタ値が出荷時のパワーレベルよりも大きい場合は、伝送路の損失変動の影響であるとみなして劣化量を更新しない。また、光ファイバケーブル等の伝送路５が劣化のため差し替えられる場合は、差し替えの際に、光送受信器１０の現在の光源出力パワーを外部のパワーメータ等で測定し、ＥＥＰＲＯＭ１４に記録されている現在の劣化量をパワーメータによる測定値で補正してもよい。
【００６７】
図１９は、自己折り返し時の劣化量補正を説明する図である。図４及び図５を参照して説明したように、光送受信器１０は、受信パワーレベルのモニタを開始する前に、対向する光送受信器と識別情報を交換してからリンクを確定する。その際に、受信する識別情報が自装置の識別情報のみである場合、図１９に示すように自己折り返しとなる。損失を無視できる光ファイバで自己折り返しされる場合、外部のパワーメータを用いなくても、光送受信器１０自体が有する受信パワーモニタ部２９で自己のレーザ光源３３の出力パワーレベルを測定することができる。したがって、自己折り返しが検出された場合に、受信パワーモニタ部２９の測定値を用いて、ＥＥＰＲＯＭ１４に書き込まれている現在の劣化量を補正することができる。自己折り返しの場合、自装置のレーザ光源３３の出力パワーの劣化量だけでなく、電流を可変にして駆動電流と発光量の関係を示すＩ−Ｌカーブを測定することもできる。したがって、レーザ光源３３の異常をより早期に検出することができる。
【００６８】
図２０は、発光時間の計数の例を示す図である。レーザ光源３３の正常出力状態の累積時間Ｔａと、光源の劣化防止、劣化量の誤差防止、レーザ安全機能等を目的とする低出力レベルの累積時間Ｔｂをカウントする。低レベル出力時と正常出力時の加速度係数の比をｋとすると、運用時間Ｔは、
Ｔ＝Ｔａ＋ｋ×Ｔｂ（ｋ＜１）
で計算される。運用時間Ｔをレーザ光源３３の劣化量とともにＥＥＰＲＯＭ１４に記録して管理することで、レーザ光源３３の保守、交換の時期を予測しやすくなる。
【００６９】
以上述べたように、光送受信器（プラガブル光モジュール）１０を用いた光伝送装置１Ａ，１Ｂの間で信号が疎通した時点で、対向する光伝送装置（送信側）から送られてくる光信号の受信パワーを受信側でモニタし、モニタ情報を対向する光伝送装置に通知する。送信側の光送受信器１０は、受け取ったモニタ情報に基づいて伝送路の変動と光源劣化との判別を行い、自装置の光源出力パワーの劣化量を書換え可能メモリに記録し管理する。これにより、オートパワーコントロールが行われない場合でも、光源の保守、管理が可能になる。
【００７０】
以上の説明について以下の付記を提示する。
（付記１）
光源と、
前記光源の出力パワー状態を記録し管理する光源パワー管理部と、
対向する光伝送装置から第１光信号を受信し検出する光検出器と、
前記第１光信号から、前記光源の出力光から生成され前記対向する光伝送装置で受信された第２光信号の受信パワーレべルのモニタ情報を抽出するモニタ情報抽出部と、
を有し、
前記光源パワー管理部は、前記モニタ情報に基づき、前記受信パワーレベルのモニタ値が光伝送路の変動を超えて減少する場合に、前記光源の出力パワー状態の記録を更新することを特徴とする光送受信器。
（付記２）
前記光源パワー管理部は、前記モニタ値の変化が、前記受信パワーレベルの短周期平均と長周期平均の最大差よりも大きい場合に、前記光源の出力劣化と判断して前記光源の出力パワー状態の記録を更新することを特徴とする付記１に記載の光送受信器。
（付記３）
前記光源パワー管理部は、前記モニタ値が一定時間内に所定値を超えて変化する場合は前記光伝送路の異常とみなして、前記光源の出力パワー状態の記録を更新しないことを特徴とする付記１に記載の光送受信器。
（付記４）
前記光源パワー管理部は、前記受信パワーレベルのモニタ値が増大する場合は、前記光伝送路の変動とみなして、前記光源の出力パワー状態の記録を更新しないことを特徴とする付記１に記載の光送受信器。
（付記５）
前記光源パワー管理部は、起動時または接続時の初期受信パワーレベルを記録し、前記モニタ値が前記初期出力パワーより大きい場合に、前記モニタ値を前記初期受信パワーレベルに置き換えることを特徴とする付記１に記載の光送受信器。
（付記６）
前記光検出器は、前記光送受信器と前記対向する光伝送装置との間で識別情報が交換され双方向のリンクが確定された後に前記第１光信号を受信し、
前記光源パワー管理部は、前記モニタ情報に含まれる一対の識別情報と、前記交換され前記光送受信器のメモリに記憶された一対の識別情報とを比較し、一致する場合に前記光源の出力パワー状態の記録を更新することを特徴とする付記１に記載の光送受信器。
（付記７）
前記光検出器は、前記光送受信器と前記対向する光伝送装置との間で識別情報が交換され双方向のリンクが確定された後に前記第１光信号を受信し、
前記光源パワー管理部は、前記モニタ情報に含まれる識別情報が前記光送受信器の識別情報のみである場合に、自己折り返しパスを検出し、前記第１の光信号の受信パワーレベルを測定して、前記光源の出力パワー状態の記録を補正することを特徴とする付記１に記載の光送受信器。
（付記８）
前記光源パワー管理部は、前記光源の出力パワーの累積劣化量が所定値を超えた場合にアラームを出力することを特徴とする付記１に記載の光送受信器。
（付記９）
前記光源パワー管理部は、前記光送受信器の未接続時には、前記光源の出力パワーを光通信時の出力パワーレベルよりも低い出力レベルに維持することを特徴とする付記１に記載の光送受信器。
（付記１０）
前記光源パワー管理部は、前記受信パワーレベルの長周期変動の周期が長い場合に、前記受信パワーレベルの短周期変動を用い、最小二乗法または過去の受信パワーレベルの変化の方向を用いて、前記光源の出力の劣化と前記光伝送路の変動とを区別することを特徴とする付記１に記載の光送受信器。
（付記１１）
前記光源パワー管理部は、マルチチャネル伝送の場合に、１のチャネルのモニタ値から他の全てのチャネルの変動平均を除算した値をモニタ値として用いることを特徴とする付記１に記載の光送受信器。
（付記１２）
第１の光伝送装置と、
前記第１の光伝送装置と光伝送路により接続される第２の光伝送装置と、
を有し、
前記第２の光伝送装置は、前記第１の光伝送装置から送信された光信号の受信パワーレベルをモニタしてモニタ情報を前記第１の光伝送装置に通知し、
前記第１の光伝送装置は、前記受信パワーレベルのモニタ値が前記光伝送路の変動を超えて減少した場合に、前記モニタ情報に基づいて、前記第１の光伝送装置の光源の出力パワー状態の記録を更新することを特徴とする光伝送システム。
（付記１３）
第１の光伝送装置において、当該第１の光伝送装置の光源の出力パワー状態を管理し、
前記第１の光伝送装置にて、対向する第２の光伝送装置から送信される第１光信号を受信し、
前記第１光信号から、前記第１の光伝送装置から送信され前記第２の光伝送装置で受信された第２光信号の受信パワーレべルに関するモニタ情報を抽出し、
前記モニタ情報に基づき、前記受信パワーレベルのモニタ値が光伝送路の変動を超えて減少する場合に前記光源の出力パワー状態の記録を更新する、
ことを特徴とする光源出力監視方法。
【符号の説明】
【００７１】
１Ａ、１Ｂ  光伝送装置
１０，１０Ａ，１０Ｂ  光送受信器（プラガブル光モジュール）
１１  分波器
１２  合波器
１３  マイクロコントローラ
１４  ＥＥＰＲＯＭ（書換え可能なメモリ）
１７  光源パワー管理部
２６  モニタ情報抽出部
２９  受信パワーモニタ部
３３  光源（レーザ光源）
３４  定電流制御回路
１００  光伝送システム
【図１】
2016096511.tif 000003
【図２】
2016096511.tif 000004
【図３】
2016096511.tif 000005
【図４】
2016096511.tif 000006
【図５】
2016096511.tif 000007
【図６】
2016096511.tif 000008
【図７】
2016096511.tif 000009
【図８】
2016096511.tif 000010
【図９】
2016096511.tif 000011
【図１０】
2016096511.tif 000012
【図１１】
2016096511.tif 000013
【図１２】
2016096511.tif 000014
【図１３】
2016096511.tif 000015
【図１４】
2016096511.tif 000016
【図１５】
2016096511.tif 000017
【図１６】
2016096511.tif 000018
【図１７】
2016096511.tif 000019
【図１８】
2016096511.tif 000020
【図１９】
2016096511.tif 000021
【図２０】
2016096511.tif 000022